(57)【要約】【課題】収納時における座板部材の意匠的な体裁を向上できる上、収納部の開閉板開閉方向の寸法を小さくすることができる開閉装置における座板部材の収納構造を提供する。【解決手段】収納部１０内に繰出し及び収納可能に開閉板２０を備え、該開閉板２０の繰出し先端部に設けられた座板部材３０を、該開閉板２０の収納時に、該開閉板２０と共に前記収納部１０内に収納するようにした開閉装置における座板部材の収納構造において、収納される際の前記座板部材３０を押圧することで、前記座板部材３０の傾きを矯正する押圧部材５０を設けた。【選択図】          図５
2004162428.tif 000002
【特許請求の範囲】
【請求項１】
収納部内に繰出し及び収納可能に開閉板を備え、該開閉板の繰出し先端部に設けられた座板部材を、該開閉板の収納時に、該開閉板と共に前記収納部内に収納するようにした開閉装置における座板部材の収納構造において、
収納される際の前記座板部材を押圧することで、前記座板部材の傾きを矯正する押圧部材を設けたことを特徴とする開閉装置における座板部材の収納構造。
【請求項２】
上記押圧部材は、上記座板部材の側部を押圧すべく上記収納部内に設けられていることを特徴とする請求項１記載の開閉装置における座板部材の収納構造。
【請求項３】
上記押圧部材は、開閉板開閉方向に沿って自在に回動するようにローラーを軸支してなることを特徴とする請求項１又は２記載の開閉装置における座板部材の収納構造。
【請求項４】
請求項１乃至３何れか１項記載の開閉装置における座板部材の収納構造において、
上記収納部内に、一方の面に凹部を有する上記開閉板と、上記収納部内から繰出されて閉鎖位置にある上記開閉板の他方の面に弾性的に接触する密閉部材と、該密閉部材の接触を維持すべく前記一方の面側から上記開閉板を押圧する押圧部材とを備え、上記収納部と上記開閉板との隙間を前記密閉部材により塞ぐようにし、
前記凹部は、上記開閉板が前記閉鎖位置にある際に、少なくとも前記押圧部材に対応して配置され、そして、同凹部には、前記押圧部材に当接させるためのスペーサーが設けられ、
該スペーサーは、閉鎖位置にある上記開閉板が前記密閉部材との弾性的な接触を維持する範囲内で前記押圧部材側へ撓んだ場合に、前記押圧部材に当接するように配設されていることを特徴とする開閉装置における座板部材の収納構造。
【発明の詳細な説明】
【０００１】
【発明の属する技術分野】
本発明は、シャッター装置等の開閉装置における座板部材の収納構造に関し、詳しくは収納部内に座板部材を外観状の体裁よく収納する開閉装置における座板部材の収納構造に関する。
【０００２】
【従来の技術】
シャッター装置等の開閉装置は、図６に示すように、シャッターケース１１１とまぐさ１１２とからなる収納部１１０内に、複数のスラット１２１を連設してなる開閉板１２０を、繰出し及び収納可能に巻回し、該開閉板１２０の繰出し先端部には、建物開口部の下枠や地面等に当接させるための座板部材１３０を連接している。
上記構成の開閉装置によれば、開閉板１２０がシャッターケース１１１内に巻取られると、この巻取られた開閉板１２０の外周円１２０ａの直径が大きくなるため、まぐさ１１２内に収納される座板部材１３０は、傾斜した開閉板１２０に引っ張られることで、ガイドレール１４０に対して傾くことになる。
そのため、座板部材１３０の底面１３１は傾いた面として外観視され、また、座板部材１３０と、まぐさ１１２における繰出し開口部１１２ａ側の内面との隙間ｗ１，ｗ２は、建物開口部の内外側で異なることになる。すなわち、図示例によれば、隙間ｗ１が隙間ｗ２よりも小さくなる。
したがって、上記構成の開閉装置によれば、収納時における座板部材１３０の意匠的な体裁を損ねてしまうことになる。このことは、開放状態にある開閉装置において外観視可能で注目され易い部位が、上記座板部材１３０の底面１３１近傍であることから、上記開閉装置の品質的なイメージを左右する重要な問題となる。
そこで、上記問題を解消するための手段として、例えば、図７に示すように、開閉板１２０の開閉動作を案内するガイドレール１４０の上端部が収納部１１０内に入り込む寸法ｈを大きく確保することで、座板部材１３０を略垂直に維持するようにした従来技術がある。
この従来技術によれば、ガイドレール１４０の上端部が収納部１１０内に入り込む寸法ｈの範囲内において、ガイドレール１４０のガイド溝１４１に、開閉板１２０を構成している最下端側のスラット１２１’の端部を嵌め合わせるようにしているため、該スラット１２１’の下端に固定された座板部材１３０が、収納部１１０内で略垂直な状態を維持する。したがって、座板部材１３０の底面１３１が傾いた面となったり、座板部材１３０内外の両隙間ｗ１，ｗ２が不均一になったりするという上記問題が解消される。
【０００３】
しかしながら、上記後者の従来技術では、ガイドレール１４０の上端部が収納部１１０内に入り込む寸法ｈを大きく確保しているため、収納部１１０の高さ寸法Ｈが大きくなってしまう。
尚、上記後者の従来技術のように、ガイドレールの上端部が収納部内に入り込む寸法を比較的大きく確保した発明には、例えば、特許文献１（第６図参照）に記載されたものがある。
【０００４】
【特許文献１】
公開実用新案公報、平２−６８０９９号
【０００５】
【発明が解決しようとする課題】
本発明は上記従来技術に更なる改良を施すものであり、その課題とする処は、収納時における座板部材の意匠的な体裁を向上できる上、収納部の開閉板開閉方向の寸法を小さくすることができる開閉装置における座板部材の収納構造を提供することにある。
【０００６】
【課題を解決するための手段】
上記課題を解決するために第一の発明は、収納部内に繰出し及び収納可能に開閉板を備え、該開閉板の繰出し先端部に設けられた座板部材を、該開閉板の収納時に、該開閉板と共に前記収納部内に収納するようにした開閉装置における座板部材の収納構造において、収納される際の前記座板部材を押圧することで、前記座板部材の傾きを矯正する押圧部材を設けたことを特徴とする。
【０００７】
ここで、上記収納部は、少なくとも上記開閉板を繰出し及び収納可能にした構成であればよく、例えば、巻回された開閉板を内在する収納ケースと該収納ケースから繰出される開閉板を送出するまぐさとからなり、該収納ケース内から該まぐさ内にわたる範囲内に上記開閉板及び上記押圧部材を具備した構成を含む。
【０００８】
また、上記開閉板の具体例としては、縦断面凹状のスラットやパネルを複数連接した構成や、単数若しくは複数のスラットとシート状部材とを連接した構成、シート状部材のみからなる構成等が挙げられる。
また、この開閉板の開閉方向は、垂直方向とするのが好ましいが、水平方向あるいは斜め方向とすることも可能である。
【０００９】
また、上記座板部材とは、開閉板の閉鎖位置において、開閉板の繰出し先端部と該繰出し先端部に対向する部位（例えば床面）に当接するように、前記繰出し先端部に設けられる部材であり、その形状や構造は限定されず、例えば、縦断面略逆Ｔ字状に形成される。
また、上記押圧部材は、収納される際の上記座板部材を押圧することで、上記座板部材の傾きを矯正するものであればよく、例えば、棒状部材や、ブロック状部材、突出した曲面や屈折部等を有し且つ回動しない部材等の先端部を、上記座板部材の側部に当接させることで該座板部材の傾きを矯正するようにした態様、あるいは前記同様の棒状部材や、ブロック状部材、あるいは突出した曲面や屈折部等を有し且つ回動しない部材等の先端部を、上記座板部材における鍔部分の上面等、上記座板部材の上記側部以外の部位に当接させることで該座板部材の傾きを矯正するようにした態様等が挙げられるが、特に、簡素な構造でもって上記開閉板の開閉動作を阻害することがない好ましい態様としては、ローラーや球形状の部材等を、回動自在で且つ収納時における上記座板部材の側部に当接可能に支持する。
また、この押圧部材は少なくとも上記座板部材が収納される際にこの座板部材を押圧すればよく、例えば、この押圧部材は、上記座板部材が収納部に収納される際に前進して該座板部材に当接し、上記座板部材が収納部から繰出される際に後退して該座板部材から離れるように構成されてもよい。
また、この押圧部材は、収納される際の上記座板部材に接触するようにすれば、上記開閉板の幅方向にわたって接触する長尺状に形成されてもよいが、座板部材との摩擦抵抗を小さくするとともに部品コストを軽減する観点より、開閉板の幅方向に短尺状に形成されるとともに、同開閉板の幅方向に単数もしくは所定ピッチで複数設けられるのが好ましい。尚、前記開閉板の幅方向とは、上記開閉板の開閉方向と直交する方向であって、上記開閉板の厚さ方向ではない方向を意味する。
【００１０】
更に、第二の発明では、上記押圧部材は、上記座板部材の側部を押圧すべく上記収納部内に設けられていることを特徴とする。
ここで、上記座板部材の側部とは、上記座板部材において、上記開閉板の厚さ方向と交差する部位を意味し、例えば、上記座板部材を垂直状部位と該垂直状部位の下端の水平状部位とからなる縦断面略逆Ｔ字状に形成した場合に、前記垂直状部位の側面や、前記水平状部位の水平方向の端面等を含む。
【００１１】
更に、第三の発明では、上記押圧部材は、開閉板開閉方向に沿って自在に回動するようにローラーを軸支してなることを特徴とする。
【００１２】
更に、第四の発明では、上記収納部内に、一方の面に凹部を有する上記開閉板と、上記収納部内から繰出されて閉鎖位置にある上記開閉板の他方の面に弾性的に接触する密閉部材と、該密閉部材の接触を維持すべく前記一方の面側から上記開閉板を押圧する押圧部材とを備え、上記収納部と上記開閉板との隙間を前記密閉部材により塞ぐようにし、前記凹部は、上記開閉板が前記閉鎖位置にある際に、少なくとも前記押圧部材に対応して配置され、そして、同凹部には、前記押圧部材に当接させるためのスペーサーが設けられ、該スペーサーは、閉鎖位置にある上記開閉板が前記密閉部材との弾性的な接触を維持する範囲内で前記押圧部材側へ撓んだ場合に、前記押圧部材に当接するように配設されていることを特徴とする。
【００１３】
この第四の発明において、上記開閉板とは、上記第一乃至三の発明の内の何れか一つの発明における開閉板であって、且つ一方の面に凹部を有する開閉板を意味する。
【００１４】
そして、この開閉板は、少なくとも該開閉板の閉鎖位置において上記スペーサーを上記押圧部材に対応させて配設可能な凹部を有するものであればよく、例えば、縦断面凹状のスラットやパネルを開閉方向の略全長にわたって複数連接して開閉板とした構成や、上記押圧部材に対応する部位の近傍に部分的に前記スラットやパネルを単数若しくは複数連設し、他の部位をシート状部材等の他の態様の開閉板とした構成等が挙げられる。
また、上記密閉部材とは、火災で生じた煙等の気体や水等の液体、虫やほこり等の異物が閉鎖位置にある開閉板側から収納部内へ侵入するのを阻むものをいい、上記開閉板に弾性的に接触するようにした態様が好ましい。特に簡素であり且つ上記開閉板の開閉動作を妨げないようにした好ましい一例としては、弾性的に撓むシート状部材の一端側を開閉板に接触させるとともに他端側を上記収納部内に固定した態様が挙げられる。
また、上記密閉部材の他例としては、例えば、上記開閉板に弾性的に接触するスポンジ状部材やブラシ状部材であってもよいし、また、収納部内に固定されるスプリングの先端に、上記開閉板に密閉状に接触する部材を固定した態様としてもよい。
また、上記密閉部材の材質は、気密目的であって、特に火災時の焼損を防止するとともに、上記開閉板の開閉動作を妨げないようにする場合には、ガラスクロス等の耐火性を有し且つ前記開閉板との摩擦抵抗の少ない材料とするのが好ましい。
また、上記密閉部材の材質は、特に防水目的である場合には、ゴム材料や軟質合成樹脂材料等、上記開閉板との密着性のよい部材とするのが好ましく、更に、焼損防止の目的を兼ねる場合には難燃性の材料とする。尚、上記密閉部材の材質をゴム材料や軟質合成樹脂材料等の弾性材料とした場合には、前記弾性材料からなる密閉部材と上記開閉板との摩擦抵抗が大きくなるため、より好ましくは、前記弾性材料からなる密閉部材を、上記開閉板の開閉動作が妨げられるようなことがないように、適宜な弾性力で上記開閉板に接触させるようにする。
また、上記密閉部材の材質は、特に防虫目的とし、開閉板内外の通気性を良好に維持したい場合には、上記開閉板に弾性的に接触するブラシ状の部材とするのが好ましい。
【００１５】
また、上記スペーサーは、上記押圧部材との当接部を有するものであればその形状や構造が限定されるものでないが、上記開閉板の上記凹部への装着を良好にし且つ生産性の良い簡素な形状とした好ましい一例としては、略直方体等のブロック状に形成されたものが挙げられる。また、上記スペーサーの内部は中空状あるいは多孔質状であっても構わない。
また、上記スペーサーの材質は、特に限定されるものではなく合成樹脂材料や金属材料、木材料等であってもよいが、開閉板を巻取り可能に構成した場合に巻取られる開閉板の巻径が大きくなるのを防止するために、合成ゴム等の弾性材料とするのが好ましく、更に好ましくは、耐火性を有するように、クロロプレンゴム（ＣＲ）等の難燃性を有する材料とする。
そして、このスペーサーは、上記開閉板が撓んだ際に上記押圧部材に接触するように配設されればよく、上記開閉板の凹部が開閉板開閉方向に複数ある場合には、それら凹部の全てあるいは複数に設けてもよいが、部品コストを軽減する観点より、閉鎖位置にある上記開閉板において上記押圧部材に対応する凹部のみに設けるのが好ましい。
また、上記スペーサーは、上記開閉板の幅方向（上記開閉板の開閉方向と直交する方向であって、上記開閉板の厚さ方向ではない方向）にわたって設けるように長尺状に形成されてもよいが、部品コストを軽減する観点より、開閉板幅方向の寸法を上記押圧部材に接触可能な短尺寸法に設定するとともに、同開閉板幅方向に単数もしくは複数設けるのが好ましい。
【００１６】
また、上記第四の発明における押圧部材は、上記第一乃至三の発明の内の何れか一つの発明における押圧部材とは別に設けられた押圧部材であってもよいが、好ましくは、部品コストや該押圧部材の設置スペースを削減するために、上記第一乃至三の発明の内の何れか一つの発明における押圧部材を共用する。
【００１７】
【発明の実施の形態】
以下、本発明の実施の形態を図面に基づいて説明する。
図１乃至５は、本発明に係わる密閉構造を適用した開閉装置の一例を示す。
この開閉装置１は、収納部１０内に、一方の面に複数の凹部２１ａを有する開閉板２０と、該開閉板２０の繰出し先端部（スラット２１’）に連設された座板部材３０と、該開閉板２０を前記収納部１０内から繰出して閉鎖位置にした際に該開閉板２０の他方の面に弾性的に接触する密閉部材４０と、前記開閉板２０の凹部２１ａ内に装着されたスペーサー７０と、前記密閉部材４０の接触を維持すべく前記一方の面側から前記スペーサー７０を介して前記開閉板２０を押圧する押圧部材５０とを備え、前記開閉板２０を開閉動作させることにより、前記収納部１０と床面Ｆとの間の開口部Ｍ（図２参照）を開閉する所謂シャッター装置であり、特に本実施の形態の好ましい一例では、災害時に建物内の竪穴区画を密閉するのに好適な防火防煙シャッター装置を示している。
【００１８】
収納部１０は、開閉板２０を繰出し及び巻取り可能に内在する収納ケース１１と、該収納ケース１１下面から開閉板２０を引き出し下方へ送出するまぐさ１２とからなる。
【００１９】
収納ケース１１は、当該開閉装置が設置される建物開口部の幅と略同等の長さを有する長尺な中空直方体形状を呈し、その内部に巻取り軸１３を軸支している。この巻取り軸１３は、外周面に開閉板２０の上端部を接続しており、駆動源（図示せず）によって開閉板２０を巻き取るとともに、同開閉板２０を自重によって繰出すように構成されている。
【００２０】
まぐさ１２は、前記収納ケース１１の長手方向の寸法と略同等の長さを有する縦断面フランジ状の中空部材であり、その下面には開閉板２０を下方へ繰出すための繰出し開口部１２ａが配設され、内部には、密閉部材４０及び押圧部材５０が具備されている。
また、このまぐさ１２は、前記繰出し開口部１２ａの開口端縁から上記開口部Ｍの内外方向に延設された縦断面凹状の鍔部１２ｂ，１２ｂを有する。
これら鍔部１２ｂ，１２ｂの各々は、その上面に天井板Ｃの下面を当接させるための部位である。
【００２１】
開閉板２０は、複数のスラット２１を、隣接するスラット２１，２１間で折曲げられるように連接してなり、上記巻取り軸１３に巻き取られることで、上記開口部Ｍを開放した開放位置（図２及び図５参照）となり、また、自重によって上記巻取り軸１３から繰出されることで、前記開口部Ｍを閉鎖した閉鎖位置（図１及び図３参照）となる。尚、この開閉板２０は、当該開閉装置１の用途や目的等に応じては、電動や手動で巻取り及び繰出しされるようにしても構わない。
【００２２】
各スラット２１は、耐火性を有する所定厚さの金属板を曲げ加工してなり、平坦部２１ｅ（図３参照）の上下端部に互いに掛合可能な形状のカール部２１ｃ，２１ｄを有する縦断面凹状で、且つ前記開口部Ｍの幅方向にわたる（図示例では手前側から奥側にわたる）平面視略長尺矩形状に形成される。
そして、このスラット２１は、前記カール部２１ｃ，２１ｄ間を、後述するスペーサー７０を装着するための凹部２１ａとしており、また、長手方向の両端部を、開口部Ｍの左右端部の各々に略直立するガイドレール６０のガイド溝６１に上下スライド可能に係合している。
前記平坦部２１ｅは、後述する密閉部材４０の先端部をスラット２１の上下方向において均一に接触させるために、平坦状に形成した面である。
前記カール部２１ｃ，２１ｄは、本実施の形態の好ましい一例によれば、接続されたスラット２１，２１間の密閉性を良好にするために、面接触により互いに係合する巻き形状に加工されている。
【００２３】
そして、上記構成により開閉板２０は、上記閉鎖位置（図１参照）において、一方の面（巻取り軸１３側の面）を、上記複数のスラット２１の凹部２１ａにより形成された凹凸面２０ａとし、他方の面を、前記複数のスラット２１の平坦部２１ｅにより略平坦状に形成されたフラット面２０ｂとしている。
【００２４】
また、前記各ガイドレール６０は、収納部１０と床面Ｆとの間にわたる長尺柱状の部材であり、幅方向の略中央に開閉板２０を上下方向へ導くガイド溝６１を有するとともに、上端部には、繰出される開閉板２０をガイド溝６１に導くために縦断面ラッパ状に形成された呑み込み部６２を有する。そして、このガイドレール６０は、前記呑み込み部６２を含む上端側を、従来技術と比較して小さい寸法ｈ（図５参照）だけ、収納部１０に内在させている。
【００２５】
また、座板部材３０は、開閉板２０の繰出し先端部、すなわち複数のスラット２１における最下端部のスラット２１’に、溶接等の周知の固定手段により接続固定された縦断面略コの字状の枠部３１（図５参照）と、該枠部３１下面に上下スライド可能に接続された縦断面略逆Ｔ字状のスライド底部３２とからなる。
この座板部材３０は、前記枠部３１内に、前記スライド底部３２が上方へスライドした際に作動するマイクロスイッチ（図示せず）を備えている。このマイクロスイッチは、開閉板２０の閉動中に、前記スライド底部３２に物体等が接触した際に、図示しない制御部に検知信号を送信し、該制御部からの指令によって開閉板２０の閉動作を停止させるためのものである。
尚、当業者間においては上記座板部材３０と最下端部の上記スラット２１’とを合わせて座板部材と呼称する場合もあるが、本実施の形態においては上記したように、座板部材３０と最下端部のスラット２１’とに分けて称することにする。
【００２６】
また、密閉部材４０は、開閉板２０の幅と略同等の長さを有する平面視長尺矩形状のシート状部材であり、その短辺方向の一端側をまぐさ１２内に固定し、その他端側を、上方へ弾性的に撓ませて、開閉板２０の平坦面２０ｂ側（凹部２１ａと逆側の面側）に接触している。
この密閉部材４０は、ガラスクロス等の耐火性を有する材料から形成することで、火災時における焼損を防止し、且つ、開閉板２０との摩擦抵抗が少ない材料から形成することで、開閉板２０の自重による閉鎖動作を阻害しないようにしている。
【００２７】
そして、上記構成の密閉部材４０は、開閉板２０が上記閉鎖位置にある際、まぐさ１２における該密閉部材４０側の内面と開閉板２０との隙間を塞ぐことで、開閉板２０内外を密閉にする。すなわち、まぐさ１２における密閉部材４０側の内面と開閉板２０との隙間、収納部１０内の空間、及びまぐさ１２における押圧部材５０側の内面と開閉板２０との隙間等によって形成される気体流路が、密閉部材４０によって閉鎖されることになる。
【００２８】
また、スペーサー７０は、略直方体ブロック形状を呈し、図示例によれば、その上下方向寸法がスラット２１における上下のカール部２１ｃ，２１ｄ間の略全長にわたり、水平幅方向の寸法が後述する押圧部材５０の幅よりも広く、且つ厚みが凹部２１ａの深さ寸法よりも大きく設定されている。
そして、このスペーサー７０は、連接された複数のスラット２１の内、上記閉鎖位置にある開閉板２０を間に置いて密閉部材４０の近傍で且つ後述する押圧部材５０に対応する位置の一枚のスラット２１における凹部２１ａ内に、両面粘着テープや接着材等の周知の固定手段によって固定される。そして、同スペーサー７０は、凹部２１ａの長手方向（図示では水平方向）に沿って、略等間隔に単数もしくは複数配置される（図４参照）。
このスペーサー７０の配置数は、開閉板２０の幅に応じて、後述する押圧部材５０と協働して開閉板２０の撓みを防止するように適宜に設定され、図示例によれば、スペーサー７０は、開閉板２０の幅を略四等分するようにして三つ配置されている。
また、このスペーサー７０の材質は、巻取られた際の開閉板２０の巻径が大きくなるのを弾性的に収縮することで防止し、且つ耐火性を有するように、クロロプレンゴム（ＣＲ）等の難燃性弾性材料としている。
【００２９】
そして、上記のように凹部２１ａ内に固定された各スペーサー７０は、後述する押圧部材５０との当接部（当接面）を、凹部２１ａの口縁部よりも押圧部材５０側へ突出させた位置、すなわちカール部２１ｃ，２１ｄの突端面よりも突出する位置に配置している。
【００３０】
また、押圧部材５０は、スペーサー７０よりも狭い幅を有し、且つスラット２１におけるカール部２１ｃ，２１ｄ間の寸法よりも小さい外径を有する略筒状のローラー５１を、まぐさ１２内における上記スペーサー７０に対向する部位に、ブラケット５２を介して軸支してなり、前記ローラー５１外周面を開閉板２０開閉方向（図示における上下方向）に沿って自在に回動させる。
【００３１】
この押圧部材５０は、開閉板２０が撓んだ際に上記スペーサー７０に当接し、且つ収納される座板部材３０の傾斜を矯正するように、上記スペーサー７０の配置に対応して、開閉板２０の水平幅方向に複数配設される。
更に詳細に説明すれば、各押圧部材５０を構成するローラー５１は、閉鎖位置にある開閉板２０が、該開閉板２０と密閉部材４０との弾性的な接触を維持する範囲内で該押圧部材５０側へ撓んだ際に、上記スペーサー７０に当接し（図３参照）、且つ、収納部１０内に収納される際の座板部材３０の枠部３１側面（側部）を押圧することで該座板部材３０底面を略水平に矯正する（図５参照）ように、開閉板内外方向（図１における左右方向）の位置が設定されている。
【００３２】
前記ローラー５１の材質は、特に限定されず、合成ゴム、合成樹脂、金属等、何れの材料であってもよいが、接触時に座板部材３０側面に傷を付けることが少なく且つ火災時に焼損を防止できることから、難燃性を有する合成ゴム又は合成樹脂であることが好ましく、特に座板部材３０の前記傷付を弾性によってより確実に防止できることから、クロロプレンゴム等の難燃性弾性材料であることが好ましい。
【００３３】
上記実施の形態の開閉装置１によれば、開閉板２０が閉鎖位置にある際には、開閉板２０のフラット面２０ｂに、密閉部材４０が弾性的に撓み接触するため、開閉板２０内外の密閉が維持される（図１及び図３参照）。
そして、開閉板２０内外の気圧の差等により、開閉板２０が凹凸面２０ａ側に撓んだ場合には、スペーサー７０が押圧部材５０のローラー５１外周面に当接する（図３における二点鎖線のスペーサー７０参照）ことで開閉板２０の撓み量を抑制するため、開閉板２０のフラット面２０ｂと密閉部材４０との間に隙間が生じるのを防止できる。
【００３４】
また、開閉板２０がフラット面２０ｂ側に撓んだ場合には、密閉部材４０が更に弾性的に撓むことで開閉板２０のフラット面２０ｂに接触した状態を維持するため、この場合においても、開閉板２０のフラット面２０ｂと密閉部材４０との間に隙間が生じるのを防止することができる。
【００３５】
また、開閉板２０の開動作中、まぐさ１２の繰出し開口部１２ａに座板部材３０の上部側のみが挿入された状態（図５における二点鎖線の座板部材３０参照）においては、座板部材３０が、開閉板２０によって斜めに引っ張られるため、ガイドレール６０に対して若干傾いた状態となる。
そして、前記状態から座板部材３０が、開閉板２０の開動作により上方へ移動すると、座板部材３０における枠部３１の側面がローラー５１に当接し、更に座板部材３０が上方へ移動すると、ローラー５１による前記当接により、座板部材３０の傾きが次第に矯正されて行く。
【００３６】
そして、座板部材３０がその底面をまぐさ１２の底面と略面一にするように収納された際には、座板部材３０における枠部３１側面がローラー５１に押圧されることで、座板部材３０の底面が略水平に維持されるとともに、座板部材３０とまぐさ１２内面との隙間ｗ１，ｗ２が、開閉板２０内外で略同一になる（図５参照）。
【００３７】
よって、上記開閉装置１によれば、開閉板２０がスペーサー７０を介してローラー５１に押圧される為、開閉板２０の凹部２０ａにローラー５１が嵌まり込むようなことがなく、ローラー５１の外径を、凹部２０ａ上下間よりも小さい寸法に設定することができる。
しかも、同ローラー５１により座板部材３０の傾きを矯正するようにした為、収納された座板部材３０底面の外観上の体裁を向上できる上、ガイドレール６０の上端側を収納部１０に内在させる寸法ｈも比較的小さく設定することができる。
したがって、押圧部材５０を収納する収納部１０の高さ寸法Ｈ（図１及び図２参照）を小さくして、開口部Ｍを開閉板開閉方向に広く確保できる上、天井Ｃの高さ位置を高くすることができる。
【００３８】
【発明の効果】
本発明は、以上説明したように構成されているので、以下に記載されるような作用効果を奏する。
第一の発明によれば、座板部材を収納部内に収納する際、該座板部材の傾きが押圧部材による押圧によって矯正される。
例えば、略垂直方向に上昇して収納部材に収納される座板部材の側部を、押圧部材により押圧することで、該座板部材の底面を略水平状に矯正するとともに、該座板部材と収納部内面との隙間を、該座板部材の内外側において略同一にすることができる。
したがって、収納時における座板部材の意匠的な体裁を向上できる上、ガイドレールの一端部が収納部内に入り込む寸法を小さくすることで、収納部の開閉板開閉方向の寸法を小さくすることができ、ひいては開閉板による開口幅をより広く確保することができる。
【００３９】
しかも、第二の発明によれば、押圧部材の構造、及び押圧部材により座板部材の傾きを矯正する構造を、簡素な構造とすることができる上、座板部材及び収納部下面の意匠的な体裁を一層向上することができる。
【００４０】
その上、第三の発明によれば、押圧部材による接触時の摩擦抵抗小さくできるため、開閉動作中の開閉板が撓んで押圧部材に接触したとしても、開閉板の開閉動作をスムーズに維持することができる。
【００４１】
更に、第四の発明によれば、閉鎖位置にある開閉板が、該開閉板内外の気圧の差等により押圧部材側へ撓んだとしても、スペーサーが押圧部材に当接するため、開閉板と密閉部材との間に隙間が生じるのを防止することができる。
その上、押圧部材が開閉板の凹部内に嵌まってしまうのをスペーサーにより防止するため、押圧部材の寸法を凹部の寸法よりも開閉板開閉方向に小さくすることができる。
したがって、収納時における座板部材の意匠的な体裁を向上できる上、押圧部材を開閉板開閉方向に小型化することで、収納部の開閉板開閉方向の寸法を一層小さくすることができ、ひいては開閉板により開閉される開口部の開閉幅を更に広く確保することができる。
【図面の簡単な説明】
【図１】本発明に係わる座板部材の収納構造を適用した開閉装置の一例を、開閉板が閉鎖位置にある状態で示す縦断面図である。
【図２】同開閉装置を、開閉板が開放位置にある状態で示す縦断面図である。
【図３】同開閉装置の密閉構造を示す要部縦断面図である。
【図４】同開閉装置の密閉構造を示す要部斜視図である。
【図５】座板部材の収納状態を示す要部縦断面図である。
【図６】従来の座板部材の収納構造の一例を示す要部縦断面図である。
【図７】従来の座板部材の収納構造の他例を示す要部縦断面図である。
【符号の説明】
１：開閉装置
１０：収納部
１１：収納ケース
１２：まぐさ
２０：開閉板
２１ａ：凹部
３０：座板部材
４０：密閉部材
５０：押圧部材
５１：ローラー
７０：スペーサー
【図１】
2004162428.tif 000003
【図２】
2004162428.tif 000004
【図３】
2004162428.tif 000005
【図４】
2004162428.tif 000006
【図５】
2004162428.tif 000007
【図６】
2004162428.tif 000008
【図７】
2004162428.tif 000009